(57)【要約】    【課題】  １つの加熱領域の最大サイズより小さい被加熱体を用いる際の温度分布を改善した誘導加熱ローラ装置、これを備えた定着装置および画像形成装置を提供する。    【解決手段】  誘導加熱ローラ装置は、後記誘導コイル装置ＩＣに磁気結合して誘導電流により発熱するとともに、被加熱体ａのサイズに応じて複数の加熱領域Ａ、Ｂに切り換えることができる加熱ローラＨＲと、加熱ローラＨＲの軸方向に分散しているとともに、加熱ローＨＲの各加熱領域Ａ、Ｂにそれぞれ対向して配設された複数の誘導コイルＩＣ１、ＩＣ２を含み、各誘導コイルＩＣ１、ＩＣ２のコイルターン間が２ｍｍ以下の等間隔で、かつ、隣接する誘導コイル間の間隔ｓが２ｍｍ超〜３０ｍｍになっている誘導コイル装置ＩＣと、誘導コイル装置ＩＣに高周波電力を供給する高周波電源ＨＦＳとを具備している。【選択図】    図４
2005093351.tif 000002
【特許請求の範囲】
【請求項１】
後記誘導コイルに磁気結合して誘導電流により発熱するとともに、被加熱体のサイズに応じて複数の加熱領域に切り換えることができる加熱ローラと；
加熱ローラの軸方向に分散しているとともに、加熱ローラの各加熱領域にそれぞれ対向して配設された複数の誘導コイルを含み、各誘導コイルのコイルターン間が２ｍｍ以下の等間隔で、かつ、隣接する誘導コイル間の間隔が２ｍｍ超〜３０ｍｍになっている誘導コイル装置と；
誘導コイル装置に高周波電力を供給する高周波電源と；
を具備していることを特徴とする誘導加熱ローラ装置。
【請求項２】
後記誘導コイルに磁気結合して誘導電流により発熱するとともに、被加熱体のサイズに応じて複数の加熱領域に切り換えることができる加熱ローラと；
加熱ローラの軸方向に分散し、かつ、加熱ローラの各加熱領域にそれぞれ対向する複数の誘導コイルを含むとともに、隣接する複数の誘導コイル間がコイルターン間の間隔より大きな間隔になっているように配設された誘導コイル装置と；
誘導コイル装置に高周波電力を供給する高周波電源と；
加熱ローラの一の加熱領域を使用して被加熱体を加熱するときに当該加熱領域に対向する誘導コイルに主たる高周波電力を投入するとともに、残余の加熱ローラの誘導コイルに残余の高周波電力を投入して保温させる高周波電力振分手段と；
を具備していることを特徴とする誘導加熱ローラ装置。
【請求項３】
誘導コイル装置は、複数の誘導コイルが隣接するもの同士の巻き方向が互いに逆で、かつ、発生磁束が同一極性になるような関係に設定されていることを特徴とする請求項１または２記載の誘導加熱ローラ装置。
【請求項４】
誘導コイル装置および高周波電源の間を接続するツイストペア構造の絶縁導体からなる高周波供給線路を具備していることを特徴とする請求項１ないし３のいずれか一記載の誘導加熱ローラ装置。
【請求項５】
加熱ローラは、隔壁によって仕切られた両端に開口する一対の中空部を備えており；
誘導コイル装置は、加熱ローラの一対の中空部内に配置される少なくとも一対の誘導コイルを含んでいる；
ことを特徴とする請求項１ないし４のいずれか一記載の誘導加熱ローラ装置。
【請求項６】
加圧ローラを備えた定着装置本体と；
定着装置本体の加圧ローラに加熱ローラを圧接関係に対設して、両ローラ間にトナー画像が形成された記録媒体を挟んで搬送しながらトナー画像を定着するように配設された請求項１ないし５のいずれか一記載の誘導加熱ローラ装置と；
を具備していることを特徴とする定着装置。
【請求項７】
記録媒体にトナー画像を形成する画像形成手段を備えた画像形成装置本体と；
画像形成装置本体に配設されて記録媒体のトナー画像を定着する請求項６記載の定着装置と；
を具備していることを特徴とする画像形成装置。
【発明の詳細な説明】
【技術分野】
【０００１】
本発明は、誘導加熱ローラ装置、これを備えた定着装置および画像形成装置に関する。
【背景技術】
【０００２】
トナー画像を熱定着するために、従来からハロゲン電球を熱源として用いた加熱ローラが用いられているが、効率が悪く、大電力を必要とする不具合がある。そこで、誘導加熱方式を導入してこの問題を解決しようと開発が行われている。この種の目的のための誘導加熱方式には渦電流損方式（例えば、特許文献１参照。）とトランス方式（例えば、特許文献２参照。）とが知られている。
【０００３】
渦電流損方式は、ＩＨジャーなどにおいて実用化されているのと同様な動作原理である。なお、渦電流損方式において用いられている高周波の周波数は、２０〜１００ｋＨｚ程度である。これに対して、トランス方式は、渦電流損方式より磁気的結合が強いために定常効率が高いとともに、加熱ローラ全体を加熱できるので、渦電流損方式に比較して定着装置の構造が簡単になるという利点がある。また、加えて動作周波数を１００ｋＨｚ以上、好適には１ＭＨｚ以上の高周波にすることによって、誘導コイルのＱを大きくして電力伝達効率を高くすることができる。このため、加熱の総合効率が高くなり、省電力を図ることができる。また、渦電流損方式に比較して定着装置の構造が簡単になるという利点もある。さらに、渦電流損方式の加熱ローラより熱容量をかなり小さくすることができる。したがって、トランス方式は、熱定着の高速化に甚だ好適である。
【０００４】
さらに、トランス方式の改良形として、誘導コイルに空芯トランス結合する回転可能に支持される中空構造からなる加熱ローラの２次側抵抗値を２次リアクタンスにほぼ等しい閉回路に形成することにより、誘導コイルから加熱ローラへの電力伝達効率が高くなり、加熱ローラを効率よく加熱できる著しい効果が得られる空芯トランス結合方式が本件出願人により特許出願されている（特許文献３参照。）。この発明により加熱ローラの誘導加熱の省電力を図るとともに、熱定着を高速化することが容易になった。
【０００５】
さらにまた、トナー画像が形成された被定着用紙のサイズに応じて誘導ローラの所望の加熱領域のみを加熱できるようにするために、誘導加熱ローラの軸方向に沿って複数に分割された複数の誘導コイルを配設し、かつ、特定領域に対応する誘導コイルに対して選択的に高周波電力を投入可能にすること技術が本発明者らにより開発されていて、例えば特願２００２−１２０３６５号として特許出願されている。
【０００６】
上述した複数の誘導コイルを配設して加熱ローラの加熱領域を切り換え可能にする構成においては、加熱ローラの軸方向の温度分布を均一にするために、各誘導コイル内におけるコイルターン間隔と隣接する一対の誘導コイル間の間隔とを等しくなるように構成していた。
【特許文献１】特開２０００−２１５９７４号公報
【特許文献２】特開昭５９−３３７８７号公報
【特許文献３】特開２００２−２２２６８８号広報
【発明の開示】
【発明が解決しようとする課題】
【０００７】
加熱ローラの１つの加熱領域に対して許容される最大サイズの被定着用紙よりサイズの小さい被定着用紙を通過させる場合、被定着用紙を通過させた領域は、被定着用紙に熱を奪われるので温度が低下する。ところが、当該加熱領域内の被定着用紙が通過しない残余の領域は、高温の状態のままになる。そこで、当該加熱領域全体を当初の状態に戻そうとして誘導コイルを経由して高周波電力を投入して加熱すると、被定着用紙が通過しない残余の領域はさらに高温になってしまい、温度分布を改善できないばかりか、場合によっては発煙発火につながったりする危険がある。そのため、従来の誘導加熱ローラ装置は、許容される最大サイズの被定着用紙よりサイズの小さい被定着用紙を通過させるような利用態様には不向きであった。
【０００８】
本発明は、加熱ローラの軸方向に複数の加熱領域を選択的に設定可能であるとともに、加熱ローラの１つの加熱領域に対して許容される最大サイズのよりサイズの小さい被加熱体を通過させる際の温度分布を改善した誘導加熱ローラ装置、これを備えた定着装置および画像形成装置を提供することを目的とする。
【課題を解決するための手段】
【０００９】
請求項１の発明の誘導加熱ローラ装置は、後記誘導コイル装置に磁気結合して誘導電流により発熱するとともに、被加熱体のサイズに応じて複数の加熱領域に切り換えることができる加熱ローラと；加熱ローラの軸方向に分散しているとともに、加熱ローラの各加熱領域にそれぞれ対向して配設された複数の誘導コイルを含み、各誘導コイルのコイルターン間が２ｍｍ以下の等間隔で、かつ、隣接する誘導コイル間の間隔が２ｍｍ超〜３０ｍｍになっている誘導コイル装置と；誘導コイル装置に高周波電力を供給する高周波電源と；を具備していることを特徴としている。
【００１０】
本発明および以下の各発明において、特に指定しない限り用語の定義および技術的意味は次による。
【００１１】
＜加熱ローラについて＞    加熱ローラは、後記誘導コイルに磁気結合して誘導電流により発熱するとともに、後述するように複数の加熱領域に切り換えられるように構成されている。そして、加熱ローラは、閉回路を形成した２次コイルを備えていて、この２次コイルが誘導コイルと磁気結合、例えば空芯トランス結合する。後者の場合、閉回路の２次側抵抗値は、２次コイルの２次リアクタンスとほぼ等しい値を有している。なお、２次側抵抗値と２次リアクタンスとが「ほぼ等しい」とは、２次側抵抗値をＲａとし、２次リアクタンスをＸａとし、かつ、α＝Ｒａ／Ｘａとしたとき、数式１を満足する範囲とする。なお、数式条件を規定する理由については特許文献３に開示されている。また、２次側抵抗値は、測定により求めることが可能である。２次リアクタンスは、計算により求めることが可能である。さらに、αは、好適には０．２５〜４倍の範囲、最適には０．５〜２倍の範囲である。
【００１２】
（数式１）
０．１＜α＜１０
また、加熱ローラは、２次コイルを単一または複数配設することができる。複数の２次コイルを配設する場合、それらを加熱ローラの軸方向に分散して配設することが望ましい。２次コイルを支持するために、絶縁性物質からなるローラ基体を用いることができる。そして、ローラ基体の外面、内面またはローラ基体の内部に２次コイルを配設することができる。
【００１３】
さらに、加熱ローラは、その利用上被加熱体のサイズに応じて軸方向に沿って複数の加熱領域に区分される。すなわち、トナー画像を形成した定着用紙の定着など被加熱体を加熱する目的で加熱ローラを使用する場合、被加熱体の幅サイズに応じて適切な加熱領域を選択できるように構成されている。これらの加熱領域は、見かけ上識別できなくてもよいが、後述する誘導コイルとの協働によって加熱が区分される。トナー画像定着の場合を例として加熱領域を説明する。例えば、トナー画像が形成されたＡ４サイズの定着用紙からなる被定着体を定着する場合、被定着体を縦置きにして定着させるのと、横置きにするのとでは、必要な加熱領域の長さが異なる。また、例えばＡ４サイズの被定着体を定着する場合と、Ｂ４サイズの被定着体を定着する場合とでも必要な加熱領域幅が異なる。一方、定着に必要な加熱領域以外の領域まで一様に発熱させるのでは電力の無駄であるとともに、前述したように加熱ローラの軸方向の温度分布が不均一になるので、回避しなければならない。他方、必要な加熱領域内においては、なるべく均一な発熱が必要になる。また、２つの異なる加熱領域であっても、いずれの領域に対しても共通に寄与する共通加熱部位と、それぞれの加熱領域に対してのみ寄与する単独加熱部位とがあり得る。さらに、共通加熱部位と単独加熱部位との配置の態様は、共通加熱部位を左右いずれか一方に片寄せして、単独加熱部位をいずれか他方に寄せて配置する態様と、共通加熱部位を中央に配置して、その左右に単独加熱部位を配置する態様とがあるが、本発明においては、以上のいずれか一または全部に対応可能になっていることを許容する。
【００１４】
さらにまた、２次コイルを導体層、導電線および導電板などの導体により形成することができる。導体層は、所望の２次側抵抗値を得るために、以下の材料および製造方法を採用することができる。厚膜形成法（塗布＋焼成）により形成する場合には、Ａｇ、Ａｇ＋Ｐｄ、Ａｕ、Ｐｔ、ＲｕＯ２およびＣからなるグループから選択した材料を用いるのがよい。塗布方法としては、スクリーン印刷法、ロールコーター法およびスプレー法などを用いることができる。これに対して、めっき、蒸着またはスパッタリング法により形成する場合には、Ａｕ、Ａｇ、ＮｉおよびＣｕ＋（Ａｕ、Ａｇ）のグループから選択した材料を用いるのがよい。導電線および導電板は、Ｃｕ、Ａｌなどを用いることができる。なお、Ｃｕ、Ａｌの場合は、酸化を防止するために、防錆被膜を表面に形成するのが好ましい。また、ローラ基体をＦｅやＳＵＳ（ステンレス鋼）で構成する場合、ローラ基体の表面層が高周波の表皮効果によって２次コイルとして作用する。したがって、上記のような格別の２次コイルを配設しなくてもよい。しかし、この場合であっても、要すればローラ基体とは別に２次コイルを配設することができる。なお、ＦｅやＳＵＳからなるローラ基体においても、表面に亜鉛被膜などの防錆皮膜を形成することができる。
【００１５】
次に、より一層実際的な加熱ローラを得るために、必要に応じて以下の構成を付加することが許容される。
【００１６】
１．（ローラ基体について）    ２次コイルを支持するために、絶縁性物質からなるローラ基体を用いることができる。この場合、２次コイルは、ローラ基体の外面、内面または内部に配設することができる。絶縁性のローラ基体は、セラミックスまたはガラスを用いて形成することができる。そして、ローラ基体の耐熱性、強い衝撃性および機械的強度などを考慮して、例えば以下の材料を用いることができる。セラミックスとしては、例えばアルミナ、ムライト、窒化アルミニウムおよび窒化ケイ素などである。ガラスとしては、例えば結晶化ガラス、石英ガラスおよびパイレックス（登録商標）などである。
【００１７】
２．（熱拡散層について）    熱拡散層は、加熱ローラの軸方向における温度の均整度を向上するための手段として、必要に応じて導体層の上側に配設することができる。このために、熱拡散層は、加熱ローラの軸方向への熱伝導が良好な物質を用いるのがよい。熱伝導率の高い物質は、Ｃｕ、Ａｌ、Ａｕ、ＡｇおよびＰｔなど導電率の高い金属に多く見られる。しかし、熱拡散層は、導体層の材料に対して同等以上の熱伝導率を有していればよい。したがって、熱拡散層は、導体層と同一材料であってもよい。
【００１８】
また、熱拡散層が導電性物質からなる場合、導体層と導電的に接触していてもよいが、絶縁膜を介して配設することにより、放射ノイズの輻射を遮断する作用をも奏する。なお、高周波磁界は、熱拡散層まで作用しないので、熱拡散層には発熱に寄与するほどの２次電流は誘起されない。
【００１９】
３．（保護層について）    保護層は、加熱ローラの機械的保護および電気絶縁、あるいは弾性接触性またはトナー離れ性向上のために、必要に応じて配設することができる。前者のための保護層の構成材料としては、ガラスを、また後者のための保護層の構成材料としては合成樹脂を、それぞれ用いることができる。ガラスとしては、ホウケイ酸亜鉛系ガラス、ホウケイ酸鉛系ガラス、ホウケイ酸系ガラスおよびアルミノシリケート系ガラスからなるグループの中から選択して用いることができる。また、後者としては、シリコーン樹脂、フッ素樹脂、ポリイミド樹脂＋フッ素樹脂およびポリアミド＋フッ素樹脂からなるグループの中から選択して用いることができる。なお、ポリイミド樹脂＋フッ素樹脂およびポリアミド＋フッ素樹脂の場合、フッ素樹脂が外側に配設される。
【００２０】
４．（加熱ローラの形状について）    所望により加熱ローラにクラウンを形成することができる。クラウンとしては、鼓形および樽形のいずれであってもよい。
【００２１】
５．（加熱ローラの回転機構について）    加熱ローラを回転するための機構は、既知の構成を適宜選択して採用することができる。なお、トナー画像を熱定着する場合には、加熱ローラと正対して加圧ローラを配設して、両ローラの間をトナー画像が形成された記録媒体が通過する際に加熱されてトナーが記録媒体に融着するように構成することができる。
【００２２】
＜誘導コイル装置について＞    本発明において、「誘導コイル」は、その発生磁束を加熱ローラに鎖交させて加熱ローラに２次電流を誘起させ、かつ、抵抗発熱を発生させることで加熱ローラを所要に加熱するための手段であり、その複数が加熱ローラの軸方向に分散して配設されている。そして、上記複数の誘導コイルをまとめて誘導コイル装置という。
【００２３】
また、複数の誘導コイルは、加熱ローラの軸方向に分散しているとともに、加熱ローラの各加熱領域にそれぞれ対向して配設されていて、それぞれの誘導コイルのコイルターン間が２ｍｍ以下の等間隔に設定されている。加えて、隣接する誘導コイルは、それらの間隔が２ｍｍ超〜３０ｍｍに設定されている。要するに、複数の誘導コイルは、それらのコイルターン間の距離より隣接する誘導コイル間の距離の方が大きく設定されている。後者の距離が上記のようにコイルターン間ターンのそれより大きいことにより、隣接する対をなす誘導コイルの一方を使用して被加熱体の加熱を行うときに、誘導コイル間のこの間隙に対向する加熱ローラの部位に低温部を形成することができる。このため、特定の誘導コイルが対向する加熱領域が被定着体の加熱のために加熱されるにもかかわらず当該加熱領域の端部を被加熱体が通過しないために、上記端部の熱が被加熱体に奪われないでいるときには、その残留した熱が隣接する低温部に拡散して温度の平準化が行われる。しかし、隣接する誘導コイル間の間隔が２ｍｍ以下であると、誘導コイル間の間隔に対向する実効的な低温部を形成できない。また、隣接する誘導コイル間の間隔が３０ｍｍ以上であると、誘導コイル間の間隔に対向する低温部の温度低下が顕著になって加熱ローラの温度分布の不均一が大きくなりすぎる。したがって、隣接する誘導コイル間の間隔は、２ｍｍ超〜３０ｍｍであれば、加熱ローラの加熱領域間に実効的であるとともに加熱ローラの温度分布の不均一が大きくなりすぎない低温部を形成することができる。なお、隣接する誘導コイル間の間隔は、好ましくは３〜１５ｍｍである。また、隣接する誘導コイル間の間隔が上記の範囲内にあっても、対向する加熱ローラの低温部の温度が所望の程度より低下するときには、被定着体を通過させる加熱領域に隣接する他の加熱領域に対向する誘導コイルに対して投入する高周波電力を通常より多くすることによって、冷却領域の温度の底上げを図ることもできる。
【００２４】
一方、複数の誘導コイルにおいて、そのコイルターン間の距離が２ｍｍ以下であれば、対向する加熱ローラの加熱領域内における温度分布の均整化を図ることができる。コイルターン間の距離が２ｍｍを超えると、当該誘導コイルが対向する加熱領域内の温度分布の変動が大きくなりすぎる。なお、コイルターン間の距離は、好ましくは１．５ｍｍ以下である。誘導コイルを形成する導電線は、フッ素樹脂のような耐熱性合成樹脂の絶縁皮膜で被覆された絶縁導体を用いるのが一般的であり、この場合、コイルターン間の距離は、隣接するコイルターンの絶縁皮膜の上から測定される。
【００２５】
誘導コイル装置は、後述する高周波電源から直接または整合回路およびまたは高周波伝送路を経由して付勢すなわち励磁されるとともに、加熱ローラに磁気結合例えば空芯トランス結合するが、回転する加熱コイルに対して静止していてもよいし、加熱ローラと一緒に、または別に回転してもよい。なお、回転する場合には、周波数可変高周波電源と誘導コイルとの間に回転集電機構を介在すればよい。なお、「空芯トランス結合」とは、完全な空芯のトランス結合だけでなく、実質的に空芯とみなせるトランス結合の場合を含む意味である。しかし、要すれば、渦電流損加熱方式の電磁結合であってもよい。
【００２６】
また、誘導コイル装置は、その誘導コイルを支持するために後述するコイルボビンを備えていることができる。コイルボビンには、整列巻の状態で誘導コイルを支持するための巻溝を形成することができる。コイルボビンを中空にして内部に誘導コイルに接続する高周波伝送路を通線するように構成することができる。しかし、コイルボビンに代えて合成樹脂やガラス質材により誘導コイルを直接成形ないし接着することによって、複数の誘導コイルを所定形状に維持するように構成することもできる。
【００２７】
さらに、誘導コイル装置の複数の誘導コイルは、共通の高周波電源に対して並列接続することができる。しかし、要すれば、複数の誘導コイルを直列接続するようにしてもよい。また、誘導コイルは、個々にまたはグループ分けされて個別の高周波電源に接続してもよい。いずれの態様であっても、誘導コイルに対して高周波電源から高周波電力を給電するための給電リード線は、誘導コイルの内面または外面に接近した位置に配置するのがよい。給電リード線を誘導コイルの内部に通線する場合、給電リード線が誘導コイルの中心軸に近いと、給電リード線と鎖交する磁束が多くなるために、内部に渦流損が生じて電力伝達効率が低下するので、好ましくない。これに対して、上記のように構成することにより、給電リード線と鎖交する磁束が少なくなるので、電力伝達効率の低下が相対的に抑制される。
【００２８】
さらにまた、複数の誘導コイルは、軸長およびターン数が一定であってもよいし、相違してもよい。好ましくは各加熱領域に対向する誘導コイルを次のように構成するのがよい。すなわち、加熱領域の軸方向の長さに応じて一または複数の単位誘導コイルを高周波電源に対して直接または間接的に並列接続して加熱領域に対向する誘導コイルを構成する構成である。この構成によれば、加熱ローラの各加熱領域に対して投入する高周波電力を所望に制御しやすくなる。なお、本発明において「単位誘導コイル」とは、加熱ローラの所定の軸長、ターン数およびコイル径を備えていて、所定の高周波電圧を印加したときに所定の高周波電力が一単位として投入されるように構成されている。したがって、一単位誘導コイルに投入される高周波電力に単位誘導コイルの数を乗じた値の高周波電力を対向する加熱領域に投入することができる。
【００２９】
一方、誘導コイルに供給される高周波電力は、高周波電源を共通にしている場合、誘導コイルに対する高周波電圧の印加時間に概ね比例的になる。したがって、例えば所望によってＰＷＭ制御などにより複数の加熱領域に対向する複数の誘導コイルに対する高周波電圧の印加時間を制御すれば、高周波電力の値を個別に制御することが可能になる。
【００３０】
＜高周波電源について＞    高周波電源は、加熱ローラの複数の加熱領域を所要に加熱するために、複数の加熱領域に対向するそれぞれの誘導コイルを付勢するために、高周波電力を発生して、所定の誘導コイルにこれを供給する。また、高周波電源は、その出力周波数（またはその範囲）が基本的に限定されるものではないが、トランス方式の場合は１ＭＨｚ以上の高周波を出力するように構成されていると効果的である。なぜなら、１ＭＨｚ以上の高周波にすることにより、導誘コイルのＱを大きくして電力伝達効率をより一層高くすることが可能になるからである。電力伝達効率が高くなると、加熱の総合効率が高くなり、省電力を図ることができる。しかし、実際には１５ＭＨｚ以下の周波数にすることにより、放射ノイズの問題をなるべく回避しやすくすることができる。なお、適合する能動素子（たとえば、後述するようにMOSFETを用いることができる。）の経済性および高周波ノイズ抑制の容易性などの観点からは、好適には１〜４ＭＨｚである。さらに、本発明は、渦電流結合方式（渦電流加熱方式）であってもよいが、その場合には、２０〜１００ｋＨｚの範囲の周波数が好適である。
【００３１】
また、高周波を発生させるには、直流または低周波交流を直接または間接的に半導体スイッチ素子などの能動素子を用いて高周波に変換するのが実際的である。低周波交流から高周波電力を得るには、整流手段を用いていったん低周波交流を直流に変換するのがよい。直流は、平滑回路を用いて形成した平滑化直流でもよいし、非平滑直流であってもよい。直流を高周波に変換するには、増幅器およびインバータなどの回路要素を用いることができる。増幅器としては、例えば電力変換効率の高いＥ級増幅器などを用いることができる。また、ハーフブリッジ形インバータなどを用いることもできる。さらに、能動素子としては、高周波特性に優れているMOSFETが好適である。複数の高周波電源回路を並列的に接続して、各高周波電源回路の高周波出力を合成してから誘導コイルに印加するように構成することができる。これにより、所望の電力でありながら各高周波電源回路の出力を小さくてよいから、能動素子にMOSFETを用いて、廉価に効率よく高周波を発生することができる。
【００３２】
さらに、高周波電源は、複数の誘導コイルに対して共通に配設することができる。しかし、要すれば、高周波電源を複数の誘導コイルに対してそれぞれ個別に、またはグループ化して複数の高周波電源を配設することも許容される。
【００３３】
さらにまた、高周波電源の出力周波数は、一定であってもよいし、可変であってもよい。後述する誘導コイル選択手段がフィルタ手段または共振回路からなる場合、高周波電源の出力周波数を可変にする必要がある。高周波電源の出力周波数を可変にするには、例えば励振回路の発振周波数を可変にするなど既知の周波数可変手段を用いることができる。なお、要すれば、例えば起動時の投入電力を通常運転時のそれより大きくして、急速加熱を行うように構成することができる。
【００３４】
＜本発明の作用について＞    本発明においては、加熱ローラの複数の加熱領域に対向して配設された複数の誘導コイルを選択して付勢することにより、特定の加熱領域を加熱しておき、当該加熱領域に被加熱体を通過させれば、所要の程度に加熱できる。したがって、本発明によれば、例えばトナー画像を形成した定着用紙を定着するのに好都合である。また、加熱ローラの一の加熱領域を使用して被加熱体を加熱するときに、当該加熱領域に許容される最大サイズより小さい被加熱体を通過させると、当該加熱領域の被加熱体が通過しない残余の部位の熱が残留する。ところが、隣接する誘導コイルの間に対向する当該加熱領域に隣接する部位には、低温部が形成されているので、残留した熱は低音部へ拡散する。その結果、加熱ローラにおける一の加熱領域の温度は、最大サイズより小さい被加熱体を通過させたにもかかわらず、平準化して、局部的な温度過昇を防止する。
【００３５】
＜その他の構成について＞
本発明の必須構成要素ではないが、所望により以下の構成を選択的に実施することにより、さらに効果的な誘導加熱ローラ装置を得ることができる。
【００３６】
１．（高周波電力振分手段について）    高周波電力振分手段は、加熱ローラの一の加熱領域を使用して被加熱体を加熱するときには、当該加熱領域に対向する誘導コイルに対して高周波電源から投入される高周波電力の誘導コイル装置の全体に投入される高周波電力に対する高周波電力比を所定割合にすると同時に、残余の誘導コイルに対しては残余の高周波電力を振り分けることによって残余の加熱領域を一の加熱領域の温度とほぼ同一温度に保温するように制御する手段である。なお、本発明において、「所定割合」とは、加熱ローラの一の加熱領域と残余の加熱領域との間におけるそれぞれ単位軸長に対する割合として表現されているものであると同時に、複数の加熱領域の一部が被加熱体の加熱のために使用されている場合において、加熱ローラの軸方向に実用上ほぼ均一な温度分布が得られる限界値およびそれ以上の範囲として表現されている。例えば、加熱ローラに中間部および両端部からなる３つの加熱領域を設定する場合には、中間部の加熱領域を使用して加熱するときに、対向する誘導コイルに０．７以上の割合で高周波電力を投入し、残余の加熱領域に０．３未満の割合で高周波電力を振り分けるのがよい。また、全部の加熱領域を使用して被加熱体を加熱するときには、両端部の加熱領域に０．５以上の割合で高周波電力を振り分けるのがよい。しかし、被加熱体を加熱する一の加熱領域の全高周波電力に対する割合は、０．９５を上限とするのが実際的である。なお、このとき残余の加熱領域の同様割合は０．０５以下になる。また、所定割合が一定であっても、加熱領域の軸長に応じて当該加熱領域に投入される高周波電力の総量が変化することになる。
【００３７】
ところで、誘導コイルが記述のように単位誘導コイルの適数を用いて構成されている場合には、一の加熱領域と残余の加熱領域とにおけるそれぞれの単位誘導コイル当たりに投入される高周波電力の割合に等しい。したがって、加熱ローラおよび誘導コイルの構成の如何にかかわらず、上記所定割合以上の範囲内において加熱ローラの軸方向にほぼ均一な温度分布が得ることが可能になる。
【００３８】
次に、高周波電力振分手段の具体的な構成の一例について説明する。以下、ＰＷＭ制御方式、フィルタ方式および共振回路方式について説明する。なお、これらの例は、単独で実施するばかりでなく、適宜組み合わせて実施することが許容され、また組み合わせによってより一層高周波電力の割り振り可能な範囲が拡大したり、きめ細かく調整したりできるようになる。特にＰＷＭ制御方式とフィルタ方式または共振回路方式との組み合わせが好適である。
【００３９】
（１）（ＰＷＭ制御方式について）    ＰＷＭ制御方式は、加熱ローラの各加熱領域に対向する複数の誘導コイルに対する高周波電圧の印加時間をＰＷＭ制御により変化させることにより、各誘導コイルに供給される高周波電力を所望の割合で変化させる方式である。なお、ＰＷＭ制御は、高周波の各半サイクルごとに行うようにしてもよいし、高周波電源の高周波出力を相対的に低周波、例えば１〜１００Ｈｚ程度で変調してもよい。
【００４０】
（２）（フィルタ方式について）    フィルタ方式は、周波数可変形の高周波電源と誘導コイルとの間にフィルタ手段を介在させるとともに、高周波電源の周波数を変化させることによってフィルタ手段が応動して、高周波電力の通過度を変化させる。フィルタ手段の備えているべきフィルタ特性としては、帯域通過形、帯域阻止形、低域通過形および広域通過形のいずれであってもよい。また、フィルタ手段の構成としては、アナログ形、アクティブ形およびディジタル形のいずれであってもよい。さらに、フィルタ手段は、誘導コイルに対して直列または並列に接続することができる。
【００４１】
次に、フィルタ手段のフィルタ特性と誘導コイルの選択的付勢との関係について説明する。フィルタ特性が帯域通過形である場合、可変高周波電源が当該通過帯域の周波数を出力するように可変高周波電源を制御すれば、フィルタ手段に接続する誘導コイルは、フィルタ手段を通過した高周波電力によって付勢されるので、当該誘導コイルが対向する加熱ローラの領域を選択的にまたは所定比率で加熱することができる。したがって、例えば２つの誘導コイルの付勢割合を周波数により選択的に変更するには、通過帯域の互いに異なる２つのフィルタ手段を用意して、その一方を一方の誘導コイルに接続し、他方を他方の誘導コイルに接続して、周波数可変高周波電源の出力周波数をそれぞれの通過帯域内になるように切り換えるとともに、それぞれの通過帯域が所定の割合で一部オーバーラップするように設定すればよい。
【００４２】
そうして、フィルタ手段は、そこに入力する高周波の周波数に対して選択的に、かつ、所定割合で応動して当該フィルタ手段を通過する高周波電力を所定割合に応じて制御する。したがって、電源周波数を変化することにより、所望の誘導コイルに対する高周波電力の投入割合を制御することができる。
【００４３】
また、各誘導コイルと周波数可変高周波電源との間に介在して誘導コイルに供給される高周波電力を制御する部分がフィルタ手段により構成されているので、誘導コイルの構成の如何に影響を受けることなく、安定した制御を行うことができる。
【００４４】
（３）（共振回路について）    共振回路は、誘導コイルを共振回路要素として構成されている。誘導コイルは、２次抵抗に加えて主としてインダクタンスを含んでいるので、一般的にはコンデンサを追加することにより共振回路を構成することができる。共振回路は、周波数可変形の高周波電源に対して直列共振回路および並列共振回路のいずれであってもよい。前者は、周波数可変形の高周波電源に対して誘導コイルおよびコンデンサの直列接続回路を接続する。後者は、周波数可変形の高周波電源に対して誘導コイルおよびコンデンサの並列回路を接続する。しかし、要すれば、誘導コイルの他にインダクタンスを追加することができる。そして、第１および第２の誘導コイルを共振回路構成部品として含む複数の共振回路を構成する場合は、それらの共振周波数を少なくとも２種類以上に相違させるとともに、共振特性曲線が一部オーバーラップするように設定する。
【００４５】
さらに、要すれば複数の共振回路の間において、選択度であるＱの大きさを共振周波数とともに、少なくとも２つの異なった値を有するように構成することができる。すなわち、一方の共振回路のＱ値の大きさを、他方のそれより相対的に小さくなるように構成する。
【００４６】
そうして、共振回路を用いて複数の誘導コイルに投入される高周波電力を所要の割合で振り分けるには、それぞれの誘導コイルを共振要素とする複数の共振回路に対して、ともに適度に共振するような周波数の高周波電力を出力するように高周波電源の周波数を設定すればよい。
【００４７】
２．（ウオームアップ制御について）    起動すなわち給電開始後のウオームアップ期間中、加熱ローラが通常運転時におけるより低い回転数で回転するように制御することができる。
【００４８】
３．（加熱ローラの温度制御について）    加熱ローラの温度を所定範囲内で一定、例えば２００℃に維持にするために、加熱ローラの表面に感熱素子を導熱的に接触させることができる。そして、感熱素子を温度制御回路に接続する。感熱素子としては、負温度特性を有するサーミスタや正温度特性を有する非直線抵抗素子を用いることができる。
【００４９】
４．（搬送シートについて）    加熱ローラを用いて被加熱体を加熱する際に、加熱ローラが直接被加熱体に当接するように構成することができるが、要すれば両者の間に搬送シートが介在するように構成することができる。この場合、搬送シートは、無端状またはロール状の形態をとることが許容される。搬送シートを用いることにより、被加熱体の加熱と搬送をスムースに行うことが可能になる。
【００５０】
請求項２の発明の誘導加熱ローラ装置は、後記誘導コイル装置に磁気結合して誘導電流により発熱するとともに、被加熱体のサイズに応じて複数の加熱領域に切り換えることができる加熱ローラと；加熱ローラの軸方向に分散し、かつ、加熱ローラの各加熱領域にそれぞれ対向する複数の誘導コイルを含むとともに、隣接する複数の誘導コイル間がコイルターン間の間隔より大きな間隔が形成されるように配設された誘導コイル装置と；誘導コイル装置に高周波電力を供給する高周波電源と；加熱ローラの一の加熱領域を使用して被加熱体を加熱するときに当該加熱領域に対向する誘導コイルに主たる高周波電力を投入するとともに、残余の加熱ローラの誘導コイルに残余の高周波電力を投入して保温させる高周波電力振分手段と；を具備していることを特徴としている。
【００５１】
本発明は、被加熱体を加熱するのに一の加熱領域を使用するときには、高周波電力振分手段により上記加熱領域に対向して配置された誘導コイルに主たる高周波電力を投入し、残余の加熱領域には全高周波電力から主たる高周波電力を差し引いた残余の高周波電力を投入して保温するように構成されている。ここで、「主たる高周波電力」とは、全体の０．５倍以上であり、例えば加熱領域が中間部および両端部の３つに区分されている場合は、０．７倍以上である。なお、高周波電力の投入割合は、請求項１において定義したのと定義が同じである。
【００５２】
これに対して、加熱ローラの全部の加熱領域を使用して被加熱体を加熱する場合は、高周波電力振分手段により各加熱領域に対して高周波電力を等分して投入すればよい。しかし、加熱ローラの両端部に位置する加熱領域は冷却されやすいので、中間部に位置する加熱領域に投入するのより多くするのがよい。
【００５３】
本発明において、高周波電力振分手段は、請求項１において説明したのと同じ構成を採用することができる。
【００５４】
そうして、本発明においては、被加熱体を加熱するのに一の加熱領域を使用するときには、一の加熱領域に対向する誘導コイルと隣接する加熱領域に対向する誘導コイルとの間の間隔が誘導コイルのコイルターン間の間隔より大きいので、上記誘導コイル間間隔の部位に対向する加熱ローラの部位に相対的な低温部が形成される。この低温部は、一の加熱領域に許容される最大サイズより小さい被加熱体を加熱する際に加熱領域の端部に生じる残留熱を拡散しやすくする。その結果、加熱ローラ全体の温度分布が均整化する。
【００５５】
本発明によれば、一の加熱領域を使用して被加熱体の加熱を行うときであっても、加熱ローラ全体の温度が均整化され、温度むらを一般的には３０℃以下、好ましくは１５℃以下にすることができる。
【００５６】
これに対して、全部の加熱領域を使用して被加熱体を加熱するときには、前記一の加熱領域に隣接する加熱領域に対向する誘導コイルに対して等分またはそれ以上の高周波電力が投入されるので、誘導コイル間に対する加熱ローラに形成される低温部が減少するか消滅する。その結果、加熱ローラの軸方向の全体がほぼ均一に加熱され、被加熱体の加熱を良好に行うことができる。
【００５７】
請求項３の発明の誘導加熱ローラ装置は、請求項１または２記載の誘導加熱ローラ装置において、誘導コイル装置は、複数の誘導コイルが隣接するもの同士の巻き方向が互いに逆で、かつ、発生磁束が同一極性になるような関係に設定されていることを特徴としている。
【００５８】
本発明は、複数の誘導コイルの隣接するもの同士の巻き方向が互いに逆で、かつ、発生磁束が同一極性とになるような関係に設定されていることによって、隣接する誘導コイル間の電位差がなくなるか、小さくなるので、隣接する誘導コイル間の絶縁が容易になる。このため、隣接する誘導コイル間の距離を小さく設定することが可能になる。このことは、隣接する誘導コイルが異なる高周波電源に接続する場合であっても、基本的に同様である。
【００５９】
また、複数の誘導コイルから発生する磁束の極性が同じなので、隣接する誘導コイル間の磁界の変化が少なくなる。なお、複数の単位誘導コイルを並列接続することによって単一の誘導コイルを構成する場合に、単位誘導コイル間に本発明の構成を採用することができる。そうすれば、上述したのと同様の作用を奏するものである。
【００６０】
以上の構成により、隣接する誘導コイル間の距離を小さくしても、絶縁上の問題がなくなるので、被加熱体を加熱するのに必要な値まで小さくすることが可能になる。その結果、加熱ローラの温度分布の均整度が良好になる。
【００６１】
請求項４の発明の誘導加熱ローラ装置は、請求項１ないし３のいずれか一記載の誘導加熱ローラ装置において、誘導コイル装置および高周波電源の間を接続するツイストペア構造の絶縁導体からなる高周波供給線路を具備していることを特徴としている。
【００６２】
本発明は、誘導加熱ローラ装置の加熱効率や信頼性がこれを組み込む画像形成装置などの機器内における配置に影響されないようにするのに好適な構成を規定している。
【００６３】
高周波供給線路の数は誘導コイルの構成および高周波電源に対する接続の態様に応じて多様な態様を採用することができる。例えば、誘導コイルが単一である場合、高周波供給線路は誘導コイルの両端から導出され一対の給電リード線かなる単一組でよいが、請求項１ないし３の構成である場合、高周波電力振分手段の構成にもよるが、複数組の高周波供給線路が用いられる。
【００６４】
また、高周波供給線路が加熱ローラから導出される態様は、加熱ローラの一端および両端のいずれであってもよい。対をなす高周波供給線路が加熱ローラの両端から分離して導出される場合、導出後にツイストペア構造になっていればよい。
【００６５】
ところで、誘導加熱ローラ装置は、電磁誘導を利用して高周波電力により加熱ローラを加熱するので、高周波供給線路の引き回しが変化しただけで浮遊静電容量や寄生インダクタンスなどの常数が変化してしまい高周波電源から見た負荷インピーダンスが変化するという問題がある。例えば、ある負荷条件で高周波電源側が最大効率になるように設計してあっても、高周波供給線路の引き回しを変更しただけで、高周波電源の最適動作点を確保できなくなり、その結果、高周波電源の損失が増加してしまう。
【００６６】
そうして、本発明においては、上記のように誘導コイル装置および高周波電源の間を接続する高周波供給線路がツイストペア構造の絶縁導体によって構成されているので、高周波電源から見た負荷インピーダンスが高周波供給線路の引き回しによって変化しなくなる。このため、機器内における高周波供給線路の引き回しの如何にかかわらず高い加熱効率と信頼性を確保することができる。
【００６７】
請求項５の発明の誘導加熱ローラ装置は、請求項１ないし４のいずれか一記載の誘導加熱ローラ装置において、加熱ローラは、隔壁によって仕切られた両端に開口する一対の中空部を備えており；誘導コイル装置は、加熱ローラの一対の中空部内に配置される少なくとも一対の誘導コイルを含んでいる；ことを特徴としている。
【００６８】
本発明は、被加熱体のサイズに応じて加熱領域を切り換えるとともに加熱ローラの強度を向上するのに好適なとともに、省スペースが可能で、しかも加熱領域の切り換えが可能なのに好適な誘導加熱ローラ装置の構成を規定している。
【００６９】
加熱ローラは、その軸方向が隔壁によって複数の中空部に仕切られている。加熱ローラの少なくとも両端側の一対に位置する一対の中空部には少なくとも一対の誘導コイルが配置される関係で、隔壁は、加熱ローラの軸方向の中間部に１つだけ形成するのが実際的である。しかし、隔壁の位置は、中央部だけでなく、いずれか一方の端部側へ偏った位置にすることができる。
【００７０】
誘導コイルは、加熱ローラの両端から中空部内に挿入されるので、静止形にする場合には、片持ち構造にするのがよい。また、１つの中空部に対して１つまたは複数の誘導コイルを配置することができる。
【００７１】
そうして、本発明においては、加熱ローラの中間部に隔壁が形成されていることによって加熱ローラが加熱時の温度で熱変形しにくくなるので、加熱ローラの機械的強度が向上する。このため、加熱ローラをアルミニウムなどの比較的軽量で剛性の小さい金属を用いることにより、加熱ローラの熱容量を小さくして温度上昇を早めるとともに、省エネルギー化を図ることができる。
【００７２】
また、複数の加熱領域の境界部に隔壁が位置するので、いずれか一方の加熱領域のみを使用して被加熱体を加熱する場合において、当該加熱領域に対して許容される最大サイズより小さい被加熱体を通過させて加熱する際に、加熱領域の端部に熱が残留するが、隔壁が存在することによって熱容量が大きくなるので、当該熱が隔壁に拡散しやすくなる。その結果、加熱ローラの軸方向における温度分布の均整化に効果的である。
【００７３】
請求項６の発明の定着装置は、加圧ローラを備えた定着装置本体と；定着装置本体の加圧ローラに加熱ローラを圧接関係に対設して、両ローラ間にトナー画像が形成された記録媒体を挟んで搬送しながらトナー画像を定着するように配設された請求項１ないし５のいずれか一記載の誘導加熱ローラ装置と；を具備していることを特徴としている。
【００７４】
本発明において、「定着装置本体」とは、定着装置から誘導加熱ローラ装置を除いた残余の部分をいう。
【００７５】
加圧ローラと加熱ローラとは、直接圧接してもよいが、要すれば搬送シートなどを介して間接的に圧接してもよい。なお、搬送シートは、無端またはロール状であってもよい。
【００７６】
請求項７の発明の画像形成装置は、記録媒体にトナー画像を形成する画像形成手段を備えた画像形成装置本体と；画像形成装置本体に配設されて記録媒体のトナー画像を定着する請求項６記載の定着装置と；を具備していることを特徴としている。
【００７７】
本発明において、「画像形成装置本体」とは、画像形成装置から定着装置を除いた残余の部分をいう。また、画像形成手段は、記録媒体に間接方式または直接方式により画像情報を形成する画像を形成する手段である。なお、「間接方式」とは、転写によって画像を形成する方式をいう。
【００７８】
画像形成装置としては、例えば電子写真複写機、プリンタ、ファクシミリなどが該当する。
【００７９】
記録媒体としては、例えば転写材シート、印刷紙、エレクトロファックスシート、静電記録シートなどが該当する。
【発明の効果】
【００８０】
請求項１によれば、加熱ローラの軸方向に複数の加熱領域を選択的に設定可能であるとともに、加熱ローラの１つの加熱領域に対して許容される最大サイズの被定着用紙などの被加熱体よりサイズの小さい被定着体を通過させる際の温度分布を改善した誘導過熱ローラ装置を提供することができる。
【００８１】
請求項２によれば、被加熱体を加熱するのに一の加熱領域を使用するときに、誘導コイル間間隔の部位に対向する加熱ローラの部位に相対的な低温部が形成さ、一の加熱領域に許容される最大サイズより小さい被加熱体を加熱する際に加熱領域の端部に生じる残留熱を拡散しやすくする結果、加熱ローラ全体の温度分布が均整化する。
【００８２】
請求項３によれば、加えて隣接する誘導コイル間の距離を小さくしても、絶縁上の問題がなくなるので、隣接する誘導コイル間の距離を被加熱体を加熱するのに必要な値まで小さく設定することが可能になり、加熱ローラの温度分布の均整度が良好な誘導加熱ローラ装置を提供することができる。
【００８３】
請求項４によれば、加えて高周波電源から見た負荷インピーダンスが高周波供給線路の引き回しによって変化しなくなるため、機器内における高周波供給線路の引き回しの如何にかかわらず高い加熱効率と信頼性を確保した誘導加熱ローラ装置を提供することができる。
【００８４】
請求項５によれば、加えて機械的強度が向上するので、加熱ローラをアルミニウムなどの比較的軽量で剛性の小さい金属を用いることが可能になり、加熱ローラの熱容量を小さくして温度上昇を早めるとともに、省エネルギー化を図ることができ、また加熱領域に対して許容される最大サイズより小さい被加熱体を通過させて加熱する際に、加熱領域の端部に熱が残留するが、隔壁が存在することによって熱容量が大きくなるので、当該熱が隔壁に拡散しやすくなり、加熱ローラの軸方向における温度分布の均整化に効果的な誘導加熱ローラ装置を提供することができる。
【００８５】
請求項６によれば、請求項１ないし５の効果を有するとともに、トナー画像を高速で定着する定着装置を提供することができる。
【００８６】
請求項７によれば、請求項１ないし５の効果を有するとともに、加熱ローラのウオームアップが誘導加熱により早くなるので、高速タイプに好適な画像形成装置にすることができる。
【発明を実施するための最良の形態】
【００８７】
以下、図面を参照して本発明を実施するための形態を説明する。
【００８８】
図１ないし図８は、本発明の誘導加熱ローラ装置を実施するための第１の形態を示し、図１は装置全体の概要を示す回路ブロック図、図２は誘導コイル装置および加熱ローラの一部切欠中央断面正面図、図３は誘導コイル装置および加熱ローラの横断面図、図４は加熱ローラおよび誘導コイル装置の位置、加熱ローラの温度分布、ならびに被加熱体の関係を説明する概念図、図５は誘導コイル装置の接続態様を示す回路図、図６は高周波電源の電源主回路部および周波数制御部を示す回路図、図７は出力回路および高周波電力割振手段の回路図、図８は第１および第２の誘導コイルに投入される高周波電力と出力周波数の関係を示す周波数−高周波電力特性を示すグラフである。本実施の形態は、請求項１ないし３に準拠している。そして、誘導加熱ローラ装置は、加熱ローラＨＲ、誘導コイル装置ＩＣ、高周波電源ＨＦＳ、および高周波電力割振手段ＰＡＭを備えて構成されている。また、加熱ローラＨＲは、図２に示すように、回転機構ＲＭを備え、これにより駆動されて回転する。以下、上記の構成要素ごとにその構成を詳細に説明する。
【００８９】
＜加熱ローラＨＲ＞    加熱ローラＨＲは、ローラ基体１、２次コイルｗｓおよび保護層２を備えて構成されているとともに、回転機構ＲＭにより回転駆動される。ローラ基体１は、アルミナセラミックス製の円筒体からなり、例えば長さ３００ｍｍ、厚み３ｍｍである。２次コイルｗｓは、Ｃｕの蒸着膜からなるフィルム状をなした円筒状の１ターンコイルからなり、ローラ基体１の外面において、軸方向の有効長のほぼ全体にわたって配設されている。そして、２次コイルｗｓの厚みは、加熱ローラＨＲの周回方向の２次側抵抗Ｒの値が２次リアクタンスとほぼ同じ値の１Ωになるように設定されている。保護層２は、フッ素樹脂からなり、２次コイルｗｓの外面を被覆して形成されている。
【００９０】
回転機構ＲＭは、加熱ローラＨＲを回転させるための機構であって、以下のように構成されている。すなわち、図２に示すように、第１の端部部材３Ａ、第２の端部部材３Ｂ、一対の軸受４、４、ベベルギア５、スプラインギア６およびモータ７を備えて構成されている。第１の端部部材３Ａは、キャップ部３ａ、駆動軸３ｂおよび尖端部３ｃからなる。キャップ部３ａは、加熱ローラＨＲの図２において左端に外側から嵌合するとともに、図示を省略している押しねじを用いて加熱ローラＨＲに固定することによって、加熱ローラＨＲの左端を支持している。駆動軸３ｂは、キャップ部３ａの外面の中央部から外方へ突出している。尖端部３ｃは、キャップ部３ａの内面の中央部からキャップ部３ａの内方へ突出している。第２の端部部材３Ｂは、リング部３ｄからなる。リング部３ｄは、加熱ローラＨＲの図２において右端に外側から嵌合するとともに、図示を省略している押しねじを用いて加熱ローラＨＲに固定することによって、加熱ローラＨＲの右端を支持している。一対の軸受４、４の一方は、第１の端部部材３Ａにおけるキャップ部３ａの外面を回転自在に支持する。また、他方は、第２の端部部材３Ｂの外面を回転自在に支持する。したがって、加熱ローラＨＲは、その両端に固定した第１および第２の端部部材３Ａ、３Ｂと、一対の軸受４、４とにより回転自在に支持されている。ベベルギア５は、第１の端板３Ａの駆動軸３ｂに装着されている。スプラインギア６は、ベベルギア５に噛合している。モータ７は、そのロータ軸がスプラインギア５に直結している。
【００９１】
＜誘導コイル装置ＩＣ＞    誘導コイル装置ＩＣは、第１および第２の誘導コイルＩＣ１、ＩＣ２からなる。第１の誘導コイルＩＣ１は、図４および図５に示すように、加熱ローラＨＲの中間部の加熱領域Ａに対向して配設されている。これに対して、第２の誘導コイルＩＣ２は、図１では集合されているように示しているが、実際には図４および図５に示すように、第１の誘導コイルＩＣ１の両端に若干の絶縁距離を存して隣接するとともに、加熱ローラＨＲの両端部に分散した加熱領域Ｂに対向して配設されている。したがって、第２の誘導コイルＩＣ２は、加熱ローラＨＲの両端部に分散して配設されている。
【００９２】
また、第１および第２の誘導コイルＩＣ１およびＩＣ２は、図４および図５に示すように、それぞれ複数の単位誘導コイルＩＣＵを並列接続して構成され、加熱ローラＨＲの２次コイルｗｓにそれぞれ磁気結合している。そして、図５に示すように、第１および第２の誘導コイルＩＣ１およびＩＣ２、ならびに各単位誘導コイルＩＣＵのそれぞれにおいて、隣接するもの同士の巻き方向が互いに逆で、かつ、発生磁束が同一極性になるような関係に設定されている。単位誘導コイルＩＣＵは、そのコイルターン間の間隔が例えば１ｍｍに設定されている。これに対して、第１の誘導コイルＩＣ１と第２の誘導コイルＩＣ２との間の間隔ｓは、単位誘導コイルＩＣＵのコイルターン間の間隔より広い例えば４ｍｍに設定されている。
【００９３】
さらに、第１および第２の誘導コイルＩＣ１およびＩＣ２は、図２および図３に示すように、コイルボビン８に巻装されて、加熱ローラＨＲの軸方向に分散して配置されている。また、第１の誘導コイルＩＣ１は、給電リード線９ａ、９ｄ間に接続され、第２の誘導コイルＩＣ２は、２分割されていて、その一方が給電線９ｂ、９ｄ間に、他方が９ｃ、９ｄ間に、それぞれ接続している。４本の給電リード線９ａ〜９ｄは、高周波電力割振手段ＰＡＭを経由して後述する高周波電源ＨＦＳの出力端に接続する。
【００９４】
コイルボビン８は、例えばフッ素樹脂製の円柱体からなり、凹部８ａ、支持部８ｂおよび通線溝８ｃを有している。凹部８ａは、コイルボビン８の先端中央に形成されていて、回転機構ＲＭに相対的に回転自在に係止している。支持部８ｂは、コイルボビン８の基端に形成されていて、図示しない固定部に固定される。通線溝８ｃは、コイルボビン８の外面の一部に軸方向に沿って樋状に形成されていて、内部に給電リード線９ａ〜９ｄを収納する。なお、給電リード線９ａ〜９ｄは、図３に示すように、通線溝１ｃ内に収納されて、コイルボビン８の基端側から外部へ導出されている。
【００９５】
そうして、第１および第２の誘導コイルＩＣ１およびＩＣ２は、静止状態で使用され、給電リード線９ａ〜９ｄは通線溝１ｃ内に収納されて各誘導コイルＩＣ１ＩＣ２に接近しているので、磁束の鎖交が殆どないため、給電リード線９内には殆ど渦電流損が発生しない。
【００９６】
一方、第１および第２の誘導コイルＩＣ１およびＩＣ２は、第２の端部部材３Ｂのリング部３ｄから加熱ローラＨＲの内部に挿入されていて、コイルボビン１の先端に形成された凹部１ａが第１の端板３Ａの尖端部３ｃに係合し、かつ、前述したように基端に形成した支持部１ｂが固定部に固定されることによって、加熱ローラＨＲと同軸関係に支持されるとともに、加熱ローラＨＲが回転しても静止状態を維持する。
【００９７】
＜高周波電源ＨＦＳ＞    高周波電源ＨＦＳは、図１および図６に示すように、電源主回路部ＭＣ、出力回路ＯＣおよび周波数制御部ＦＣからなる。
【００９８】
（電源主回路部ＭＣ）    電源主回路部ＭＣは、図６に示すように、低周波電源ＡＳ、直流電源ＲＤＣおよび高周波発生部ＨＦＩから構成されている。低周波交流電源ＡＳは、例えば１００Ｖ商用交流電源からなる。直流電源ＲＤＣは、整流回路からなり、入力端が低周波交流電源ＡＳに接続し、低周波交流電圧を非平滑直流電圧に変換して、その直流出力端から出力する。高周波発生部ＨＦＩは、高周波フィルタＨＦＦおよびハーフブリッジ形インバータ主回路ＨＢＩからなる。高周波フィルタＨＦＦは、両線路にそれぞれ直列の一対のインダクタＬ１、Ｌ２および一対のインダクタＬ１、Ｌ２の前後で両線路間に接続された一対のコンデンサＣ１、Ｃ２からなり、直流電源ＲＤＣおよび後述するハーフブリッジ形インバータ主回路ＨＢＩの間に介在して、高周波が低周波交流電源ＡＳ側へ流出するのを阻止する。ハーフブリッジ形インバータ主回路ＨＢＩは、直流電源ＲＤＣ出力端間に直列接続され、駆動回路ＤＣの駆動信号により励振されて交互にスイッチングする一対のMOSFETＱ１、Ｑ２および一対のMOSFETＱ１、Ｑ２に並列接続されたコンデンサＣ３、Ｃ４からなる。コンデンサＣ３、Ｃ４は、インバータ動作中に高周波バイパス作用を行う。
【００９９】
（出力回路ＯＣ）    出力回路ＯＣは、異なる出力周波数のそれぞれにおいて、高周波電源ＨＦＳを効率が高い状態で作動させるために、高周波電源ＨＦＳに対する負荷として異なる周波数においてインピーダンス変換を行うことにより、ほぼ等しいインピーダンスおよび位相差を呈するように作用して、高周波電力を効率よく出力するための手段である。そして、図５に示すように、線路に直列に挿入されたコンデンサＣｓｓおよびインダクタＬｓｓの直列回路と、この直列回路の後段において線路に並列接続されたインダクタＬｐｐおよびコンデンサＣｐｐの並列回路とからなる。
【０１００】
また、出力回路ＯＣは、高周波電源ＨＦＳがスイッチング手段としてMOSFETを用いた直列共振方式のハーフブリッジ形インバータ主回路ＨＢＩ含んで構成されているので、MOSFETの出力容量Ｃｏｓｓの充放電電圧が０Ｖになるスイッチング手段のデッドタイムｄｔ中に出力電流Iを転流する負荷条件を異なる周波数で実現する定数をそれぞれの回路部品に設定して構成されている。
【０１０１】
さらに、出力回路は、その周波数−インピーダンス特性が周波数ｆ１、ｆ２のところに現れている２つの並列共振点と、それらの中間においてインピーダンスが極大になっている直列共振点とを有している。要するに、第１および第２の出力周波数ｆ１、ｆ２のときに出力回路ＯＣは、並列共振状態となる。
【０１０２】
さらにまた、出力回路ＯＣは、その周波数−位相特性が位相0°の通過点が３つある。周波数f１、ｆ２のところが所定位相角になっている２つの並列共振点と、それらの中間においてインピーダンスが極大になっている直列共振点とを有している。
【０１０３】
（周波数制御部ＦＣ）    周波数制御部ＦＣは、図４に示すように、発振器ＯＳＣおよび駆動信号発生回路ＤＣからなる。高周波発振器ＯＳＣは、発振周波数可変形であり、図示しない外部信号源により制御されて可変周波数の高周波励振信号を発生して、駆動回路ＤＣに入力する。駆動回路ＤＣは、プリアンプからなり、高周波発振器ＯＳＣから送出された高周波信号を増幅して駆動信号を出力する。
【０１０４】
＜高周波電力割振手段ＰＡＭ＞    高周波電力割振手段ＰＡＭは、図７に示すように、第１および第２の周波数弁別フィルタ手段Ｆ１、Ｆ２からなる。第１および第２の周波数弁別フィルタ手段Ｆ１、Ｆ２は、それぞれ接続する第１の誘導コイルＩＣ１に対して予め設定された周波数の高周波電力を選択的に通過させるためのフィルタ手段である。第１および第２の周波数弁別フィルタ手段Ｆ１、Ｆ２は、線路に直列接続したコンデンサＣＣ１、ＣＣ２と、線路に並列接続したコンデンサＣｐｐ１、Ｃｐｐ２と、第１および第２の誘導コイルＩＣ１、ＩＣ２から見た誘導コイルＩＣ１、ＩＣ２および加熱ローラＨＲの等価インダクタンスＬｃ１、Ｌｃ２との直並列共振回路からなる。なお、誘導コイル側から見た誘導コイルＩＣ１、ＩＣ２および加熱ローラＨＲの等価回路は、図７に示すように、インダクタンスＬｃ１、Ｌｃ２と、抵抗Ｒｃ１、Ｒｃ２との並列回路からなる。実際には、さらに分布容量が並列接続しているが、この分布容量は小さいので、コンデンサＣｐｐ１、Ｃｐｐ２の静電容量を分布容量より１桁以上大きい値にすれば、実際上無視して差し支えない。
【０１０５】
そうして、高周波電力割振手段ＰＡＭの周波数−高周波電力特性は、例えば図８に示すようになる。図において、曲線Ｆ１は第１の周波数弁別フィルタ手段Ｆ１の特性を示し、曲線Ｆ２は第２の周波数弁別フィルタ手段Ｆ２の特性を示している。したがって、周波数ｆ１のときには、第１の周波数弁別フィルタ手段Ｆ１は、Ｗａ１の高周波電力を通過させ、第２の周波数弁別フィルタ手段Ｆ２は、Ｗｂ１の高周波電力を通過させる。また、周波数ｆ２のときには、第１の周波数弁別フィルタ手段Ｆ１は、Ｗａ２の高周波電力を通過させ、第２の周波数弁別フィルタ手段Ｆ２は、Ｗｂ２の高周波電力を通過させる。
【０１０６】
＜誘導加熱ローラ装置の動作＞    低周波交流電源ＡＳの低周波交流電圧は、高周波電源ＨＦＳの電源主回路部ＭＣ内において、直流電源部ＲＤＣにより直流電圧に変換され、さらに高周波発生部ＨＦＩで高周波電圧に変換されて高周波電圧として出力される。この高周波出力電圧は、さらに出力回路ＯＣと、高周波電力割振手段ＰＡＭとを経由して、静止状態の第１および第２の誘導コイルＩＣ１、ＩＣ２に印加される。
【０１０７】
加熱ローラＨＲの第１の加熱領域Ａを使用して標準的なサイズの被加熱体ａを加熱する場合、図８に示すように、図示しない外部信号源を操作して高周波電源ＨＦＳの高周波出力の出力周波数が第１の周波数ｆ１に設定されて高周波電源ＨＦＳが作動する。このとき、図７に示すように、第１の周波数弁別フィルタ手段Ｆ１は、その周波数−高周波電力特性が第１の周波数ｆ１の高周波を所定割合で通過させるように予め設定されているので、第１の周波数ｆ１の全高周波電力Ｗの所定割合０．７以上に相当する高周波電力Ｗａ１が通過し、第１の誘導コイルＩＣ１がＷａ１の高周波電力で付勢されて加熱ローラＨＲの第１の加熱領域Ａが発熱して温度上昇する。したがって、加熱領域Ａを使用して被加熱体ａを良好に加熱することができる。
【０１０８】
一方、上記動作と同時に、第２の周波数弁別フィルタ手段Ｆ２は、その周波数特性が第２の周波数ｆ１の高周波を所定割合０．３未満で通過させるように予め設定されているので、第２の周波数ｆ２の全高周波電力Ｗが所定割合０．３未満に相当する高周波電力Ｗｂ１が通過し、第２の誘導コイルＩＣ２がＷｂ１の高周波電力で付勢されて加熱ローラＨＲの第２の加熱領域Ｂが適度に発熱して温度上昇するので、加熱領域Ｂは保温される。その結果、加熱ローラＨＲの温度分布は、図４に示すように、加熱ローラＨＲの加熱領域ＡおよびＢのそれぞれの全体にわたってほぼ均一に保持される。しかし、加熱領域ＡとＢとの間には、間隔ｓが単位誘導コイルＩＣＵのターン間の間隔より大きくなっているため、低温部ＴＬが形成されている。
【０１０９】
そうして、図４に示すように、加熱領域Ａにその最大許容サイズより小さい幅のトナー画像を形成した定着用紙からなる被加熱体ａを通過させて、これを加熱すると、加熱ローラＨＲの被加熱体ａが通過した部位は、熱が被加熱体ａに奪われるため、図中点線で示す温度分布曲線のように、その温度が低下する。しかし、加熱領域Ａの両端部は、点線で示すように、熱が残留する。そこで、さらに継続して加熱を続行すると、加熱領域Ａの両端部は、点線で示す加熱領域Ａの温度分布曲線のように温度が上昇しようとするが、加熱領域Ａに隣接して低温部ＴＬが存在するため、残留熱は温度勾配にしたがって低音部ＴＬに向け矢印方向へ拡散する。その結果、加熱ローラＨＲの軸方向に沿った温度分布は、平準化される。これに対して、図１７に示す従来技術においては、加熱領域領Ａに熱が残留してしまう。
【０１１０】
図１７は、従来技術における加熱ローラおよび誘導コイル装置の位置、加熱ローラの温度分布、ならびに被加熱体の関係を説明する概念図である。この従来技術は、誘導コイル装置がその第１および第２の誘導コイルＩＣ１、ＩＣ２の間の間隔の大きさを除けば、図４に示す本発明を実施するための第１の形態と同じである。そのため、図４と同一部分については同一符号を付して説明は省略する。そして、第１および第２の誘導コイルＩＣ１、ＩＣ２の間の間隔は、単位誘導コイルＩＣＵのコイルターン間の間隔に等しくなっている。
【０１１１】
そうして、図１７に示す従来技術おいて、被加熱体ａの加熱以前には、（ａ）のグラフの温度分布曲線に示すように、加熱ローラＨＲの温度分布が均整化されているが、図４におけるのと同様の被加熱体ａを矢印のように加熱領域Ａに通過させると、加熱領域Ａの中央部は、（ｂ）のグラフの点線で示す温度分布曲線に示すように、熱が被加熱体ａに奪われて温度が低下する。そこで、被加熱体ａの加熱後に加熱ローラＨＲの加熱を継続すると、加熱領域Ａの中央部の温度は、図（ｂ）の実線で示す中央部の温度分布曲線に示すように、上昇して元へ復帰していくが、残留した熱が拡散していないので、両端部が過昇して高温部ＴＨが生じてしまう。
【０１１２】
次に、加熱ローラＨＲの第１および第２の加熱領域ＡおよびＢを同時に使用してサイズが大きい被加熱体を加熱する場合には、外部信号源を操作して高周波電源ＨＦＳの高周波出力の出力周波数が第２の周波数ｆ２に設定される。すると、図８に示すように、第２の周波数弁別フィルタ手段Ｆ２は、その周波数特性が第２の周波数ｆ２を所定割合０．５以上で通過させるように予め設定されているので、第２の周波数ｆ２の全高周波電力Ｗが所定割合の高周波電力Ｗｂ２で通過し、第２の誘導コイルＩＣ２がＷｂ２の高周波電力で付勢されて加熱ローラＨＲの両端部に分散して位置する第２の加熱領域Ｂが発熱して温度上昇する。これと同時に、第１の周波数弁別フィルタ手段Ｆ１は、その周波数特性が第１の周波数ｆ２を０．５未満の割合で通過させるように予め設定されているので、Ｗ−Ｗｂ２＝Ｗａ２の高周波電力で付勢されて加熱ローラＨＲの中間部に位置する第１の加熱領域Ａが発熱して温度上昇する。
【０１１３】
上記のような加熱の態様においては、加熱領域Ｂが強く加熱されるので、第１および第２の誘導コイルＩＣ１、ＩＣ２の間の間隔ｓに対向する加熱ローラＨＲの部位は、加熱領域ＡおよびＢの両方から熱が拡散してくるため、低温部ＴＬがほぼ消滅ないし加熱に支障ない程度まで縮小するので、加熱ローラＨＲの加熱領域ＡおよびＢを通してほぼ均一な温度になる。その結果、加熱領域ＡおよびＢを同時に使用してサイズの大きい被加熱体を良好に加熱することができる。
【０１１４】
以下、図９ないし図１４を参照して本発明の誘導加熱ローラ装置を実施するためのその他の形態について説明する。なお、図１および図４と同一部分については同一符号を付して説明は省略する。
【０１１５】
図９および図１０は、本発明の誘導加熱ローラ装置を実施するための第２の形態を示し、図９は装置全体の概要を示す回路ブロック図、図１０はツイストペア構造の絶縁導体の要部拡大正面図である。本形態は、誘導コイル装置ＩＣと電源装置ＥＳとの間をそれぞれがツイストペア構造の絶縁導体ｔｐｗからなる３組の高周波供給線路ＨＦＬを用いて接続している。
【０１１６】
誘導コイル装置ＩＣは、図４および図５に示す第１の形態におけるのと同様の構成である。また、電源装置ＥＳは、図１における高周波電源ＨＦＳおよび高周波電力割振手段ＰＡＭを包含している。
【０１１７】
図１１は、本発明の誘導加熱ローラ装置を実施するための第３の形態を示す回路ブロック図である。本形態は、加熱ローラＨＲの両端から単線の高周波供給線路ＨＦＬを導出し、それらが途中で撚り合わされてツイストペア構造の絶縁導体ｔｐｗを構成している。なお、誘導コイル装置ＩＣは、単一および複数のいずれであってもよい。
【０１１８】
図１２は、本発明の誘導加熱ローラ装置を実施するための第４の形態を示す回路ブロック図である。本形態は、加熱ローラＨＲの一端から１組のツイストペア構造の絶縁導体ｔｐｗからなる高周波供給線路ＨＦＬを導出して、電源装置ＥＳに接続している。なお、誘導コイル装置ＩＣは、単一および複数のいずれであってもよい。
【０１１９】
図１３は、本発明の誘導加熱ローラ装置を実施するための第５の形態を示す加熱ローラおよび誘導コイル装置の断面図である。本形態においては、加熱ローラＨＲは、その軸方向の中央部に隔壁ＰＷが配設されていて、隔壁ＰＷによって仕切られた両端に開口する一対の中空部Ｂ１、Ｂ２を備えている。なお、加熱ローラＨＲは、両端支持構造により回転される。誘導コイル装置ＩＣは、第１および第２の誘導コイルＩＣ１、ＩＣ２からなる。そして、第１の誘導コイルＩＣ１が中空部Ｂ１内に挿入され、第２の誘導コイルＩＣ２が中空部Ｂ２内に挿入されている。
【０１２０】
図１４は、本発明の誘導加熱ローラ装置を実施するための第６の形態を示す加熱ローラおよび誘導コイル装置の断面図である。なお、図１３と同一部分については同一符号を付して説明は省略する。本形態においては、加熱ローラＨＲの隔壁ＰＷが軸方向の中央部から一端に偏った位置に配設され、これに伴って第１の誘導コイルＩＣ１の軸長が短くなり、第２の誘導コイルＩＣ２の軸長が長くなっている。本形態によれば、第２の誘導コイルＩＣ２に対向する加熱領域を所望の長さに設定することができる。
【０１２１】
図１５は、本発明の定着装置を実施するための一形態を示す縦断面図である。図において、２１は誘導加熱ローラ装置、２２は加圧ローラ、２３は記録媒体、２４はトナー、２５は架台、ＩＣは誘導コイルである。なお、誘導加熱ローラ装置２１は、図１ないし図１４に示す各形態の誘導加熱ローラ装置を用いることができる。
【０１２２】
加圧ローラ２２は、誘導加熱ローラ装置２１の加熱ローラＨＲと圧接関係を有して配設されており、両者の間に記録媒体２３を狭圧しながら搬送する。
【０１２３】
記録媒体２３は、その表面にトナー２４が付着することにより、画像が形成される。
【０１２４】
架台２５は、以上の各構成要素（記録媒体２３を除く。）を所定の位置関係に装架している。
【０１２５】
そうして、定着装置は、トナー２４が付着して画像を形成している記録媒体２３が誘導加熱ローラ装置２１の加熱ローラＨＲと加圧ローラ２２との間に挿入されて搬送されるとともに、加熱ローラＨＲの熱を受けてトナー２４が加熱されて溶融し、熱定着が行われる。
【０１２６】
図１６は、本発明の画像形成装置を実施するための一形態としての複写機の概念的断面図である。図において、３１は読取装置、３２は画像形成手段、３３は定着装置、３４は画像形成装置ケースである。
【０１２７】
読取装置３１は、原紙を光学的に読み取って画像信号を形成する。
【０１２８】
画像形成手段３２は、画像信号に基づいて感光ドラム３２ａ上に静電潜像を形成し、この静電潜像にトナーを付着させて反転画像を形成し、これを紙などの記録媒体に転写して画像を形成する。
【０１２９】
定着装置３３は、図１５に示した構造を有し、記録媒体に付着したトナーを加熱溶融して熱定着する。
【０１３０】
画像形成装置ケース３４は、以上の各装置および手段３１ないし３３を収納するとともに、搬送装置、電源装置および制御装置などを備えている。
【図面の簡単な説明】
【０１３１】
【図１】本発明の誘導加熱ローラ装置を実施するための第１の形態を示す装置全体の概要を示す回路ブロック図
【図２】同じく誘導コイル装置および加熱ローラの一部切欠中央断面正面
【図３】同じく誘導コイル装置および加熱ローラの横断面図
【図４】同じく加熱ローラおよび誘導コイル装置の位置、加熱ローラの温度分布、
【図５】同じく誘導コイル装置の接続態様を示す回路図
【図６】同じく高周波電源の電源主回路部および周波数制御部を示す回路図
【図７】同じく出力回路および高周波電力割振手段の回路図
【図８】同じく第１および第２の誘導コイルに投入される高周波電力と出力周波数の関係を示す周波数−高周波電力特性を示すグラフ
【図９】本発明の誘導加熱ローラ装置を実施するための第２の形態を示す回路ブロック図
【図１０】同じくツイストペア構造の絶縁導体の要部拡大正面図
【図１１】本発明の誘導加熱ローラ装置を実施するための第３の形態を示す回路ブロック図
【図１２】本発明の誘導加熱ローラ装置を実施するための第４の形態を示す回路ブロック図
【図１３】本発明の誘導加熱ローラ装置を実施するための第５の形態を示す加熱ローラおよび誘導コイル装置の断面図
【図１４】本発明の誘導加熱ローラ装置を実施するための第６の形態を示す加熱ローラおよび誘導コイル装置の断面図
【図１５】本発明の定着装置を実施するための一形態を示す縦断面図
【図１６】本発明の画像形成装置を実施するための一形態としての複写機の概念的断面図
【図１７】従来技術における加熱ローラおよび誘導コイル装置の位置、加熱ローラの温度分布、ならびに被加熱体の関係を説明する概念図
【符号の説明】
【０１３２】
ａ…被加熱体、Ａ、Ｂ…加熱領域、ＨＲ…加熱ローラ、ＩＣ…誘導コイル装置、ＩＣ１…第１の誘導コイル、ＩＣ２…第２の誘導コイル、ＴＬ…低温部、ｓ…間隔
【図１】
2005093351.tif 000003
【図２】
2005093351.tif 000004
【図３】
2005093351.tif 000005
【図４】
2005093351.tif 000006
【図５】
2005093351.tif 000007
【図６】
2005093351.tif 000008
【図７】
2005093351.tif 000009
【図８】
2005093351.tif 000010
【図９】
2005093351.tif 000011
【図１０】
2005093351.tif 000012
【図１１】
2005093351.tif 000013
【図１２】
2005093351.tif 000014
【図１３】
2005093351.tif 000015
【図１４】
2005093351.tif 000016
【図１５】
2005093351.tif 000017
【図１６】
2005093351.tif 000018
【図１７】
2005093351.tif 000019